(57)【要約】【課題】現地組み立てが容易な防災ベッドを提供する。【解決手段】ベッド本体２の前面側および背面側にそれぞれアーチ形の金属パイプ製の防護フレーム３、４を床に立て、かつベッド本体２に固定する。この一対の防護フレーム３、４を、ベッド背面側から挿入した複数の金属パイプ製の横桟６、およびこの横桟６内を貫通する長尺ボルト１８により連結する。図示例では、さらに補助横桟７を背面側から挿入して、両防護フレーム３、４間の位置決めを図っている。【選択図】      図１
2004208955.tif 000002
【特許請求の範囲】
【請求項１】
ベッド本体の前面側および背面側にそれぞれ、円弧部の両側に垂直部を持つアーチ形の金属パイプ製の防護フレームを床に立てかつベッド本体に固定し、前記一対の防護フレームを、背面側から挿入した複数の金属パイプ製の横桟およびこの横桟内を貫通する長尺ボルトにより連結したことを特徴とする防災ベッド。
【請求項２】
前記一対の防護フレームを、背面側の防護フレームにあけた貫通の横桟挿通穴から水平に挿入され前面側の防護フレームの背面側管壁にあけた横桟挿通穴を通って前面側管壁に突き当たる金属パイプ製の横桟と、前面側から挿入され横桟内を貫通して背面側に延出する長尺ボルトと、前記長尺ボルトを通し背面側の防護フレームの背面に接触するカバープレートと、このカバープレートを背面側の防護フレームに固定する固定手段と、前記長尺ボルトの先端部に螺合させ締め付けたナットとで連結したことを特徴とする請求項１記載の防災ベッド。
【請求項３】
前記横桟の背面側の端面にワッシャを当て、このワッシャに前記長尺ボルトを通した筒状スペーサを突き当て、この筒状スペーサの端面に前記カバープレートを接触させたことを特徴とする請求項２記載の防災ベッド。
【請求項４】
前記横桟とは別に、背面側の防護フレームにあけた貫通の横桟挿通穴から水平に挿入され前面側の防護フレームの背面側管壁にあけた横桟挿通穴を通って前面側管壁にゴム状ワッシャを介して突き当たる金属パイプ製の補助横桟を設け、この補助横桟を、背面側の防護フレームの背面に接触するカバープレートと、このカバープレートを背面側の防護フレームに固定する固定手段とで前面側に押し付け固定したことを特徴とする請求項２記載の防災ベッド。
【発明の詳細な説明】
【０００１】
【発明に属する技術分野】
この発明は、地震による家屋の倒壊等の際にも、ベッド上に落下する重量物を受け止めてベッド上の人の安全を守ることが可能な防災ベッドに関する。
【０００２】
【従来の技術】
２階建ての木造住宅で特に旧建築基準によるものは、大地震に対しても安全を確保するために、耐震補強工事をすることが望まれている。しかし、種々の事情で耐震補強工事を行なえない場合も多く、そして、就寝中に地震に襲われることも多いので、例えば、家屋が倒壊して２階の床が落ちたような場合でも、ベッド上の人の生命を守ることが可能な防災ベッドが望まれている。
【０００３】
この種の防災ベッドとして種々のものが提案されている。例えば、堅牢な箱形のベッドフレーム内に空気膜マットを配置し、その空気膜マットを通常はフレーム上面まで膨らませてベッドとして使用し、大地震が生じた時には内部の空気を放出することで沈み、堅牢なベッドフレームが人を保護するというものがある（特願平７−１６７８３２号参照）。
また、ベッド本体の足元側に複数の下向きコ字形の保護アームを格納しておき、大地震発生時にその保護アームを移動させて、ベッド上の人を保護するものもある（特願平８−３１７８３５）。
また、地震が発生した時に、ベッドの両側の防護フレームが上昇して、ベッド上の人を保護するというものもある（特願平７−７６３６０）。
【０００４】
【発明が解決しようとする課題】
上記従来の防災ベッドはいずれも、可動部を持つ複雑な構造であり、コストも高いものとなる。また、可動部を持つ構成は、十分高い保護強度を確保するためには不利であり、家屋の倒壊にも安全を確保できるほど剛性を高くすることは困難である。一方、十分な剛性を確保しようとすれば、保護フレームが大型化し重量も大となって、室内に搬入設置することが困難になる。
本発明は上記背景のもとになされたもので、家屋の倒壊に対しても安全を確保できる程度に十分高い剛性を有すると同時に、現地組み立てが極めて容易で、室内に設置する上で問題のない防災ベッドを提供することを目的とする。
【０００５】
【課題を解決するための手段】
上記課題を解決する本発明の防災ベッドは、ベッド本体の前面側および背面側にそれぞれ、円弧部の両側に垂直部を持つアーチ形の金属パイプ製の防護フレームを床に立てかつベッド本体に固定し、前記一対の防護フレームを、背面側から挿入した複数の金属パイプ製の横桟およびこの横桟内を貫通する長尺ボルトにより連結したことを特徴とする。
【０００６】
請求項２の防災ベッドは、請求項１記載の防災ベッドにおける一対の防護フレームを、背面側の防護フレームにあけた貫通の横桟挿通穴から水平に挿入され前面側の防護フレームの背面側管壁にあけた横桟挿通穴を通って前面側管壁に突き当たる金属パイプ製の横桟と、前面側から挿入され横桟内を貫通して背面側に延出する長尺ボルトと、前記長尺ボルトを通し背面側の防護フレームの背面に接触するカバープレートと、このカバープレートを背面側の防護フレームに固定する固定手段と、前記長尺ボルトの先端部に螺合させ締め付けたナットとで連結したことを特徴とする。
【０００７】
請求項３は、請求項２記載の防災ベッドにおいて、横桟の背面側の端面にワッシャを当て、このワッシャに前記長尺ボルトを通した筒状スペーサを突き当て、この筒状スペーサの端面に前記カバープレートを接触させたことを特徴とする。
【０００８】
請求項４は、請求項２記載の防災ベッドにおいて、横桟とは別に、背面側の防護フレームにあけた貫通の横桟挿通穴から水平に挿入され前面側の防護フレームの背面側管壁にあけた横桟挿通穴を通って前面側管壁にゴム状ワッシャを介して突き当たる金属パイプ製の補助横桟を設け、この補助横桟を、背面側の防護フレームの背面に接触するカバープレートと、このカバープレートを背面側の防護フレームに固定する固定手段とで前面側に押し付け固定したことを特徴とする。
【０００９】
【発明の実施の形態】
図１は本発明の一実施形態の防災ベッド１の斜視図、図２は同縦断面図である。図示のように、この防災ベッド１は、ベッド本体２の前面側（ベッドに乗り降りする側：図１の手前側）および背面側（図１の奥側）にそれぞれ、円弧部ａの両側に垂直部ｂが連続するアーチ形の一対の金属パイプ製の防護フレーム３，４を床に立て、両防護フレーム３，４間を３本の金属パイプ製の横桟６および４本の補助横桟７で連結している。ベッド本体２は木製であり、２ａは頭部側の枠板、２ｂは足側の枠板を示す。また、図示例では背面側に飾りフレーム３０を取り付け、前面側に握り棒３１を取り付けている。
【００１０】
前記防護フレーム３、４は、いずれも矩形の角鋼管を曲げて形成したものであり、短径がベッド幅方向である。前面側防護フレーム３は、図３、図５、図６にも示すように、その背面側管壁３ｂ（背面側の管壁：図３（ロ）参照）に、３本の各横桟６の端部をそれぞれ挿入する３つの横桟挿通穴３ｃ、および４本の各補助横桟７の端部をそれぞれ挿入する４つの横桟挿通穴３ｄをあけている。また、前面側防護フレーム３の前面側管壁３ａ（図３（イ）参照）に、前記横桟挿通穴３ｃに対応する３つのボルト挿通穴３ｅをあけている。
なお、実施形態の防護フレーム３、４は、いずれもアーチの両脚部下端近傍間をフラットバー１９で連結している。このフラットバー１９は、アーチ形の防護フレーム３、４に上から加わる荷重により両脚部が広がることを防止する作用をし、剛性が一層向上する。
【００１１】
前記背面側防護フレーム４は、図４、図５、図６にも示すように、その前面側管壁４ａ（図４（イ）参照）および前面側管壁４ｂ（図４（ロ）参照）にそれぞれ、３本の各横桟６の端部をそれぞれ挿入する３つの横桟挿通穴４ｃ、４ｆ、および４本の各補助横桟７の端部をそれぞれ挿入する４つの横桟挿通穴４ｄ、４ｇをあけている。また、背面側管壁４ｂの各横桟挿通穴４ｆ、４ｇ毎にそれぞれ２つのカバープレート取付穴４ｈをあけ、その内面側にナット８を溶接固定している。
また、前面側防護フレーム３および背面側防護フレーム４にベッド本体２にボルトで固定するためのボルト穴３ｊ、３ｋ、４ｊ、４ｋをあけている。
【００１２】
また、両防護フレーム３、４の下端部には、ナット１０を穴あき底板を介して溶接固定している。このナット１０に、図７に示すようにボルト１１ａを垂直に溶接固定し、滑り防止のゴムシート１１ｂを裏面に貼り付けたベースプレート１１の前記ボルト１１ａがねじ込まれて、高さ調節可能に取り付けられる。このベースプレート１１は畳上に設置する場合には、沈み込み防止の作用も果たす。
【００１３】
背面側防護フレーム４に取り付けた前記飾りフレーム３０は、図８（イ）、（ロ）に示すように、丸鋼管を十字形および円形を組み合わせた形状に溶接固定したもので、十字の上端は丸棒３０ｃを溶接固定してこの丸棒３０ｃを防護フレーム４の頂部下面にあけた穴に挿入し、十字の左右両端はブラケットを溶接固定してこのブラケットを防護フレーム４の側部にボルトで固定し、十字の下端はフランジを溶接固定してこのフランジをベッド本体２の背面にボルトで固定している。
【００１４】
上記の防災ベッド１を組み立てる要領を説明する。まず、前面側防護フレーム３および背面側防護フレーム４のそれぞれ左右下端部にベースプレート１１を取り付ける。次いで、両防護フレーム３、４をベッド本体２の前面側および背面側にそれぞれを立て、ボルト穴３ｊ、３ｋ、４ｊ、４ｋに通したボルトでベッド本体２に固定する。これにより両防護フレーム３、４が手を離しても直立状態を保ち、続く作業が容易になる。
次いで、図５に示すように、３本の横桟６を背面側から背面側防護フレーム４の横桟挿通穴４ｆ、４ｃに挿入し、さらに前面側防護フレーム３の背面側管壁３ｂの横桟挿通穴３ｃに挿入して、前面側管壁３ａに当てる。
【００１５】
次いで、長尺ボルト１８を前面側防護フレーム３のボルト挿通穴３ｅから挿入し背面側防護フレーム４を貫通させる。なお、図示の長尺ボルト１８は、２本のボルト１８ａ、１８ｂを繋ぎナット１８ｃで連結したものであり、長さを調整することができる。次いで、この長尺ボルト１８にワッシャ１３、並びに、筒状スペーサ１４を溶接固定したカバープレート１５を通し、次いで、このカバープレート１５を、取付ボルト１６を裏側のナット８にねじ込んで背面側防護フレーム４に固定する。次いで、長尺ボルト１８の先端に袋ナット１７を螺合させ締め付けると、カバープレート１５は筒状スペーサ１４およびワッシャ１３を介して横桟６の端面を押し付け、これにより横桟６は前面側防護フレーム３の前面側管壁３ａと背面側防護フレーム４の背面側管壁４ｂとの間（カバープレート１５との間）で軸方向に圧縮された状態となって、両防護フレーム３、４を結合する。
【００１６】
次いで、図６に示すように、４本の補助横桟７を背面側から背面側防護フレーム４の横桟挿通穴４ｇ、４ｄに挿入し、さらに前面側防護フレーム３の背面側管壁３ｂの横桟挿通穴３ｄに挿入して、前面側管壁３ａにゴム状ワッシャ２３を介在させて当てる。次いで、カバープレート２４に溶接固定した筒状スペーサ２２を横桟挿通穴４ｇ、４ｄから挿入して前記端面板２１に当て、カバープレート２４を、取付ボルト２５を裏側のナット８にねじ込んで背面側防護フレーム４に固定する。
こうして両防護フレーム３、４間に取り付けられた補助横桟７は、両防護フレーム３、４間の離間を防ぐ結合作用はないが、両防護フレーム３、４がフレーム長手方向に互いに位置ずれすることを防止する。また、補助横桟７の先端部にゴム状ワッシャ２３を噛ませているので、補助横桟７と端面板２１と筒状スペーサ２２との全体長さが厳格に適合していなくても、補助横桟７を前面側管壁３ａに突き当て固定できる。そして、ゴム状ワッシャ２３が補助横桟７の回り止めを図る作用をする。
【００１７】
その後、背面側の飾りフレーム３０を背面側防護フレーム４に取り付け、前面側の握り棒３１を前面側防護フレーム３とベッド本体２との間に取り付けると、防災ベッド１の組み立てが完了する。
【００１８】
上記の防災ベッド１は、防護フレーム３、４がアーチ形をなしているので、上から加わる荷重に対して剛性が十分高く、地震で家屋が倒壊した場合等の際に重量物が落下してきても、これを支えることが可能であり、ベッド上の人の安全を確保することができる。
【００１９】
そして、上記の防災ベッド１の組み立てに際しては、金属パイプ製からなるアーチ形の２本の防護フレーム３、４は、単重が２５Ｋｇ以下で２人で取り扱うことが可能であり、かつ、持ち易い単純な形状なので、防護フレーム３、４をベッド本体２の両側に立てる作業には、特に困難はない。
そして、ベッド本体２に取り付けて自立させた両防護フレーム３、４に横桟６および補助横桟７を横から挿入する構造なので、両防護フレーム３、４を横桟６、７で結合する作業時の重量負担は極めて軽く、また、その作業内容も単純である。
また、横桟６および補助横桟７を挿入することで、両防護フレーム３、４相互の位置決めが行なわれるので、両防護フレーム３、４間の相互の位置決めは容易である。
また、横桟６および補助横桟７を固定する作業もカバープレート１５、２４を取付ボルト１６、２５で固定し、あるいは、長尺ボルト１８にナット１７を螺合させ締め付けるという簡単な操作であり、その固定作業も容易である。
上記のように、この防災ベッド１は現地組み立てが極めて容易な構造となっている。
また、防護フレームはアーチ形をなしているので、大重量を支える構造として極めて効率的であり、十分な剛性を有しながら部材重量の軽減が図られている。また、両防護フレーム３、４は、長尺ボルト１８による締め付け固定をしない補助横桟７で相互のずれを防ぐ構造としているので、長尺ボルト１８による締め付け固定をして両防護フレーム３、４を結合する横桟６は少なく済み、この点でも構造が簡略化され、かつコストも安くできる。
【００２０】
なお、実施形態では、防護フレームとして角パイプを用いたが、丸パイプを用いることも可能である。また、横桟６の数には少なくとも２本以上であれば特に制限はない。また、補助横桟７を省略することもは可能である。また、横桟および補助横桟は丸パイプに限らず、角パイプでもよい。
【００２１】
【発明の効果】
本発明の防災ベッドによれば、次のような種々の効果を奏する。
▲１▼防護フレームがアーチ形をなしているので、大荷重を支える構造として効率的に大きな剛性を確保でき、地震の際に重量物が落下しても、ベッド上の人の安全を確保できる。
▲２▼防護フレームは構成部品の中では最大重量であるが、上記のようアーチ形で効率よく剛性を確保できあまり重くならないので、また、持ち易い単純な形状なので、組み立て時は容易である。
▲３▼ベッド本体に取り付けて自立させた両防護フレームに横桟を横から挿入する構造なので、両防護フレームを横桟で結合する作業時の重量負担は極めて軽く、また、その作業内容も単純かつ容易である。
▲４▼両防護フレーム間の相互の位置決めが横桟および補助横桟で行なわれるので、防護フレーム相互の位置決めは容易である。
▲５▼横桟を固定する作業は、カバープレートを取付ボルトで固定し、長尺ボルトにナットを螺合させ締め付けるという簡単な操作であり、その固定作業も容易である。
以上のように本発明の防災ベッドによれば現地組み立てを極めて容易に行なうことができる。
【００２２】
また、請求項４のように、長尺ボルトによる締め付け固定をしない補助横桟で防護フレーム相互のずれを防ぐ構造とすると、長尺ボルトを用いて両防護フレーム間を結合する横桟の数を少なくすることができ、この点でも構造が簡略化され、かつコストも安くできる。
【図面の簡単な説明】
【図１】本発明の一実施形態の防災ベッドの斜視図である。
【図２】図１の縦断面図である。
【図３】図１の防災ベッドの表側の防護フレームを示すもので、（イ）は一部を切り欠いて表側から見た図、（ロ）は裏側から見た図である。
【図４】図１の防災ベッドの裏側の防護フレームを示すもので、（イ）は一部を切り欠いて表側から見た図、（ロ）は裏側から見た図である。
【図５】図２の中間省略のＡ−Ａ拡大断面図である。
【図６】図２の中間省略のＢ−Ｂ拡大断面図である。
【図７】防護フレームの下端に取り付けるベースプレートの断面図である。
【図８】上記防災ベッドにおける飾りフレームを示すもので、（イ）は正面図、（ロ）は図（イ）の左側面図である。
【符号の説明】
１  防災ベッド
２  ベッド本体
３  前面側の防護フレーム
４  背面側の防護フレーム
３ａ、４ａ  前面側管壁
３ｂ、４ｂ  背面側管壁
３ｃ、４ｃ、３ｄ、４ｄ、４ｆ、４ｇ  横桟挿通穴
３ｅ  ボルト挿通穴
４ｈ  カバープレート取付穴
ａ  円弧部
ｂ  垂直部
６  横桟
７  補助横桟
８、１０  ナット
１１  ベースプレート
１３  ワッシャ
１４、２２  筒状スペーサ
１５、２４  カバープレート
１６、２５  取付ボルト
２１  端面板
２３  ゴム状ワッシャ
【図１】
2004208955.tif 000003
【図２】
2004208955.tif 000004
【図３】
2004208955.tif 000005
【図４】
2004208955.tif 000006
【図５】
2004208955.tif 000007
【図６】
2004208955.tif 000008
【図７】
2004208955.tif 000009
【図８】
2004208955.tif 000010